(57)【要約】      （修正有）【課題】「罫線」のみならず、印刷により構成される構成部分の全部又は一部を文字により表示させること、及び、一見して文字と認識できないサイズの文字で表示させる。【解決手段】書き込みされる印刷物の印刷により構成される構成部分の全部又は一部を文字により表示し、当該文字は一見して文字と認識できないサイズの文字で表示したことを特徴とする印刷物である。  【選択図】図１
0003141221.tif 000002
【実用新案登録請求の範囲】
【請求項１】
書き込みされる印刷物の印刷により構成される構成部分の全部又は一部を文字により表示したことを特徴とする印刷物。
【請求項２】
一見して文字と認識できないサイズの文字で表示したことを特徴とする請求項１記載の印刷物。  
【請求項３】
電子ファイル用テンプレートにより構成される構成部分の全部又は一部を文字により表示することを特徴とする電子ファイル用テンプレート。    
【請求項４】
一見して文字と認識できないサイズの文字で表示したことを特徴とする請求項３記載の電子ファイル用テンプレート。  
【請求項５】
請求項３又は４に記載の電子ファイル用テンプレートを備えたコンピュータソフトウェアの記憶された記憶媒体。
【考案の詳細な説明】
【技術分野】
【０００１】
本考案は、書き込みされる印刷物又は電子ファイル用テンプレートに関するものである。
【背景技術】
【０００２】
従来、便箋類において罫線部分を線状に配列させた複数の文字により表示したものは、特許文献１に開示されている。
【特許文献１】実開昭６４−２０３６７号公報
【考案の開示】
【考案が解決しようとする課題】
【０００３】
上記特許文献１については、以下のような指摘ができる。
（１）特許文献１では、便箋類の「罫線部分」のみを線状に配列させた複数の文字で表示したものである。
（２）特許文献１における「罫線部分」は、普通に文字として認識できるものを前提としている（第１図等参照）。この罫線部分上に文章を書いた場合、異なる内容の文章が２行ずつ並記されているような状態になり、却ってこの罫線部分が邪魔になりかねない。
【０００４】
これに対して、本考案は、以下のことを目的として創作されたものである。
（１）「罫線」のみならず、印刷により構成される構成部分の全部又は一部を文字により表示させること。
（２）一見して文字と認識できないサイズの文字で表示させること。
（３）印刷物の他に電子ファイル用テンプレートにも利用させること。
【課題を解決するための手段】
【０００５】
上記目的を達成するために、第１の考案は、書き込みされる印刷物の印刷により構成される構成部分の全部又は一部を文字により表示したことを特徴とする印刷物である。
ここで、「印刷により構成される構成部分」とは、罫線、枠、模様、柄など書き込み以外の部分をいう。また、「文字」には、数字や絵文字なども含まれる。
第２の考案は、一見して文字と認識できないサイズの文字で表示したことを特徴とする印刷物である。  
第３の考案は、電子ファイル用テンプレートにより構成される構成部分の全部又は一部を文字により表示することを特徴とする電子ファイル用テンプレートである。    
第４の考案は、一見して文字と認識できないサイズの文字で表示したことを特徴とする電子ファイル用テンプレートである。  
第５の考案は、上記第３又は第４の電子ファイル用テンプレートを備えたコンピュータソフトウェアの記憶された記憶媒体である。
【考案の効果】
【０００６】
本考案によれば、以下のような効果を有する。
（１）「罫線」のみならず、印刷により構成される構成部分の全部又は一部を文字により表示させることで、様々なバリエーションの印刷物を作成できる。
（２）一見して文字と認識できないサイズの文字で表示させることで、書き込んだ文章や文字の邪魔にならず、また文字を認識できたときの感動・インパクトが大きい。
（３）印刷物の他に電子ファイル用テンプレートにも利用させることで、本考案の活用範囲が広がる。
【考案を実施するための最良の形態】
【０００７】
本考案の実施形態を図面に基づいて説明する。
図１は、第１の実施形態を示す説明図である。
第１の実施形態では、罫線１０を一見して文字と認識できないサイズの文字「ありがとう」の連続で表示した。
図２は、第２の実施形態を示す説明図である。
第２の実施形態では、枠２０を一見して文字と認識できないサイズの文字「ありがとう」の連続で表示した。
図３は、第３の実施形態を示す説明図である。
第３の実施形態では、リボンのイラストの一部３０を一見して文字と認識できないサイズの文字「ありがとう」の連続で表示した。
図４は、第４の実施形態を示す説明図である。
第４の実施形態では、模様４０を一見して文字と認識できないサイズの文字「ありがとう」の連続で表示した。
図５は、第５の実施形態を示す説明図である。
第５の実施形態では、のし袋の水引部分５０を一見して文字と認識できないサイズの文字「ありがとう」の連続で表示した。
【０００８】
なお、本考案の実施態様は、上記図１〜図５に図示されたものに限定されるものではなく、文字も「ありがとう」の連続に限定されるものではない。
また、図示省略するが、上記図１〜図５を電子ファイル用テンプレートで作成してもよい。
【産業上の利用可能性】
【０００９】
本考案は、印刷物の他に電子ファイル用テンプレートにも利用できる。
【図面の簡単な説明】
【００１０】
【図１】第１の実施形態を示す説明図。
【図２】第２の実施形態を示す説明図。
【図３】第３の実施形態を示す説明図。
【図４】第４の実施形態を示す説明図。
【図５】第５の実施形態を示す説明図。
【符号の説明】
【００１１】
１０  罫線
２０  枠
３０  リボンのイラストの一部
４０  模様
５０  のし袋の水引部分
【図１】
0003141221.tif 000003
【図２】
0003141221.tif 000004
【図３】
0003141221.tif 000005
【図４】
0003141221.tif 000006
【図５】
0003141221.tif 000007
【手続補正書】
【提出日】平成19年8月2日(2007.8.2)
【手続補正１】
【補正対象書類名】実用新案登録請求の範囲
【補正対象項目名】全文
【補正方法】変更
【補正の内容】
【実用新案登録請求の範囲】
【請求項１】
書き込みされる印刷物の印刷により構成される印字部分の全部又は一部を文字により表示したことを特徴とする印刷物。
【請求項２】
一見して文字と認識できないサイズの文字で表示したことを特徴とする請求項１記載の印刷物。  
【請求項３】
電子ファイル用テンプレートにより構成される素材部分の全部又は一部を文字により表示することを特徴とする電子ファイル用テンプレート。    
【請求項４】
一見して文字と認識できないサイズの文字で表示したことを特徴とする請求項３記載の電子ファイル用テンプレート。  
【請求項５】
請求項３又は４に記載の電子ファイル用テンプレートを備えたコンピュータソフトウェアの記憶された記憶媒体。
【手続補正書】
【提出日】平成19年11月2日(2007.11.2)
【手続補正１】
【補正対象書類名】実用新案登録請求の範囲
【補正対象項目名】全文
【補正方法】変更
【補正の内容】
【実用新案登録請求の範囲】
【請求項１】
書き込みされる印刷物の印刷により構成される平行に多数印字された罫線部分の全部又は一部を文字により表示したことを特徴とする印刷物。
【請求項２】
書き込みされる印刷物の印刷により構成される印刷物外形状の内側に沿って印字された枠部分の全部又は一部を文字により表示したことを特徴とする印刷物。
【請求項３】
書き込みされる印刷物の印刷により構成される模様又は柄部分の全部又は一部を文字により表示したことを特徴とする印刷物。
【請求項４】
一見して文字と認識できないサイズの文字で表示したことを特徴とする請求項１，２又は３記載の印刷物。  
【請求項５】
請求項１，２又は３に記載の印刷物をデジタルデータとした電子ファイル用テンプレートをコンピュータ読み取り可能に記憶したことを特徴とするＤＶＤ又はＣＤからなる記憶媒体。
【手続補正書】
【提出日】平成20年2月15日(2008.2.15)
【手続補正１】
【補正対象書類名】実用新案登録請求の範囲
【補正対象項目名】全文
【補正方法】変更
【補正の内容】
【実用新案登録請求の範囲】
【請求項１】
書き込みされる印刷物の印刷により構成される平行に多数印字された罫線部分の全部又は一部を文字の集合体により表示したことを特徴とする印刷物。
【請求項２】
書き込みされる印刷物の印刷により構成される印刷物外形状の内側に沿って印字された枠部分の全部又は一部を文字の集合体により表示したことを特徴とする印刷物。
【請求項３】
書き込みされる印刷物の印刷により構成される模様又は柄部分の全部又は一部を文字の集合体により表示したことを特徴とする印刷物。
【請求項４】
一見して文字と認識できないサイズの文字の集合体で表示したことを特徴とする請求項１，２又は３記載の印刷物。
【請求項５】
文字の集合体が「ありがとう」の連続でなることを特徴とする請求項１，２，３又は４記載の印刷物。